(57)【要約】      （修正有）【課題】肩紐をコンパクトな収納状態おくこと及び回動制限部に生じる負荷の低減を図るランドセルを提供する。【解決手段】背環３は連結部材３３と、支持部材３２とを有し、連結部材３３は支持部材３２に対して回動自在となる回動軸部３３ａと、回動軸部３３ａから板状に延在し肩紐４の一端部４１を支持する板状部３３ｂとを有し、支持部材３２は回動軸部３３ａの外周面から離れた部位に位置し、板状部３３ｂに当接することによって、連結部材３３の前方への回動を停止させると共に、板状部３３ｂを回動軸部３３ａに対して上位となる方向に延在すべく維持するストッパ３２ｇを有する構成になっている。【選択図】図３
0003165209.tif 000002
【実用新案登録請求の範囲】
【請求項１】
背当て部の上部に背環を設け、この背環に一対の肩紐のそれぞれの一端部を取り付けるように構成されたランドセルであって、
前記背環は、前記各肩紐の一端部との連結を図る一対の連結部材と、各連結部材を前記背当て部に対して離接する方向である前後方向にそれぞれ回動自在に支持する一対の支持部材とを有し、
前記連結部材は、前記支持部材に対して回動自在となる回動軸部と、この回動軸部から板状に延在し前記肩紐の一端部を支持する板状部とを有し、
前記各支持部材は、前記回動軸部の外周面から離れた部位に位置し、前記板状部に当接することによって、前記連結部材の前方への回動を停止させると共に、前記板状部を前記回動軸部に対して上位となる方向に延在すべく維持するストッパを有していることを特徴とするランドセル。
【請求項２】
前記支持部材は、前記回動軸部を回動自在に支持する一対の支持軸を有し、
前記回動軸部は、前記各支持軸にそれぞれ嵌合する軸受孔を各端面から軸方向に延在するように有すると共に、前記一方の支持軸が前記一方の軸受孔に外周面側から挿入可能なスリットを有しており、
前記スリットは、前記肩紐から前記板状部に作用する引張方向又は圧縮方向の荷重によって、前記支持軸が前記軸受孔から外周面側に抜け出すことのない位置に配置されていると共に、前記肩紐から前記板状部に作用する前方への荷重に伴って前記ストッパから当該板状部に作用する反力によって、前記支持軸が前記軸受孔から外周面側に抜け出すことのない位置に配置されていることを特徴とする請求項１に記載のランドセル。
【請求項３】
前記支持部材は、並列に配置された一対のアームを有しており、
前記各支持軸は、前記各アームにおける対向する各面から同軸状に突出するように形成され、
前記板状部は、前記回動軸部から離れるに従って漸次薄く形成され、
前記ストッパは、前記支持軸の上側にあって、前記一対のアームを連結するように棒状に形成されていると共に、前記板状部における厚く形成された部位に当接すべく配置されていることを特徴とする請求項１又は２に記載のランドセル。
【請求項４】
前記支持部材は、前記支持軸の下側に、前記一対のアームを連結する棒材を有しており、
前記肩紐の一端部は、前記板状部の一方の面に沿うように配置されると共に、前記棒材の下側に回り込むようにして折り返され、前記板状部の他方の面に沿うように配置された上で、少なくとも前記板状部における一方及び他方の面に沿う部分が当該板状部によって支持された状態で前記連結部材に連結されるようになっていることを特徴とする請求項３に記載のランドセル。
【考案の詳細な説明】
【技術分野】
【０００１】
本考案は、肩紐を連結するための背環を備えたランドセルに関するものである。
【背景技術】
【０００２】
この種のランドセルとしては、図６に示すように、左右一対の肩紐Ａの各々の一端部を背当て部Ｂの上部に設けた背環Ｃに連結し、これにより各肩紐Ａを背当て部Ｂに強固に取り付けるように構成したものが知られている。そして、背環Ｃは、肩紐４の一端部を背当て部Ｂに対して離接する方向である前後方向に回動自在となるように支持するようになっている（例えば、特許文献１の図１０、図１１参照）。また、ランドセルは、一般に、図６に示すように、その重心Ｇが背当て部Ｂの後方に位置していることから、例えば背当て部Ｂの下端部Ｂ１を支点にしてその上端部Ｂ２が後方に移動する方向のモーメントＭを受けることになる。
【０００３】
上記従来のランドセルにおいては、肩紐Ａの一端部が背当て部Ｂに対して前後方向に回動自在になっていることから、上記モーメントＭが作用すると、肩紐Ａの一端部がほとんど抵抗なく前方に回動し、背当て部Ｂの上端部Ｂ２が背負う者の背中から離れることになる。このため、背負っているうちに、ランドセルが重く感じられるようになったり、肩紐Ａが背負う者の肩から外れやすくなったりするという問題があった。
【０００４】
これに対して、背環に左右一対の連結体を設けると共に、各連結体に弾性部材を上方に延設し、各弾性部材に肩紐の一端部を取り付けることにより、当該肩紐の一端部を上方に立ち上げると共に、前後方向への回動を防止させ、これにより上記モーメントＭに十分抗することのできる背環を備えた改良型のランドセルが開発されている（例えば、特許文献１）。
【０００５】
しかし、このように構成された改良型のランドセルにおいては、肩紐の一端部が上方に立ち上がった状態に固定されることから、肩紐を冠に沿うように後方に回動して収納形態にしようとすると、その肩紐の一端部が上方に突出した状態になり、その突出した部分が邪魔になってコンパクトな収納状態におくことができないという問題がある。
【０００６】
そこで、上記連結体に、前後方向に約１５〜６０度の範囲で回動する取付部を設け、この取付部に上記弾性部材を上方に延設することにより、肩紐の一端部を所定の範囲で回動可能に構成した第２の改良型のランドセルも開発されている（例えば、特許文献２）。
【０００７】
しかし、上記第２の改良型のランドセルにおいては、肩紐の一端部を前後方向に約１５〜６０度の範囲で回動自在にしているが、その回動の基準位置が規定されていないことから、上述した収納状態にしたときに、その肩紐の一端部が上方に突出し、コンパクトな収納状態におくことができない場合がある。
【０００８】
また、上記第２の改良型のランドセルにおいては、上記取付部に形成された回動軸部が連結体に形成された軸受面に回動自在に支持されるように構成されており、これによって、取付部が連結体に対して回動自在になっているが、上記約１５〜６０度の回動範囲に制限するストッパは連結体の軸受面に隣接するように形成されていると共に、取付部の回動軸部に隣接するように形成された受圧部に当接するようになっている。即ち、ストッパ及びその受圧部は取付部の回動中心に極めて近い部位に設けられていることから、当該ストッパとその受圧部とからなる回動制限部には、回動制限時に大きな負荷（荷重）が作用することになるという問題がある。
【先行技術文献】
【特許文献】
【０００９】
【特許文献１】特開２００４−８１８０２号公報
【特許文献２】特開２００４−８１８０１号公報
【考案の概要】
【考案が解決しようとする課題】
【００１０】
本考案は、上記事情に鑑みてなされたものであり、肩紐をコンパクトな収納状態おくことができ、かつ回動制限部に生じる負荷の低減を図ることのできるランドセルを提供することを課題としている。
【課題を解決するための手段】
【００１１】
上記課題を解決するため、請求項１に記載の考案は、背当て部の上部に背環を設け、この背環に一対の肩紐のそれぞれの一端部を取り付けるように構成されたランドセルであって、前記背環は、前記各肩紐の一端部との連結を図る一対の連結部材と、各連結部材を前記背当て部に対して離接する方向である前後方向にそれぞれ回動自在に支持する一対の支持部材とを有し、前記連結部材は、前記支持部材に対して回動自在となる回動軸部と、この回動軸部から板状に延在し前記肩紐の一端部を支持する板状部とを有し、前記各支持部材は、前記回動軸部の外周面から離れた部位に位置し、前記板状部に当接することによって、前記連結部材の前方への回動を停止させると共に、前記板状部を前記回動軸部に対して上位となる方向に延在すべく維持するストッパを有していることを特徴としている。
【００１２】
請求項２に記載の考案は、請求項１に記載の考案において、前記支持部材は、前記回動軸部を回動自在に支持する一対の支持軸を有し、前記回動軸部は、前記各支持軸にそれぞれ嵌合する軸受孔を各端面から軸方向に延在するように有すると共に、前記一方の支持軸が前記一方の軸受孔に外周面側から挿入可能なスリットを有しており、前記スリットは、前記肩紐から前記板状部に作用する引張方向又は圧縮方向の荷重によって、前記支持軸が前記軸受孔から外周面側に抜け出すことのない位置に配置されていると共に、前記肩紐から前記板状部に作用する前方への荷重に伴って前記ストッパから当該板状部に作用する反力によって、前記支持軸が前記軸受孔から外周面側に抜け出すことのない位置に配置されていることを特徴としている。
【００１３】
請求項３に記載の考案は、請求項１又は２に記載の考案において、前記支持部材は、並列に配置された一対のアームを有しており、前記各支持軸は、前記各アームにおける対向する各面から同軸状に突出するように形成され、前記板状部は、前記回動軸部から離れるに従って漸次薄く形成され、前記ストッパは、前記支持軸の上側にあって、前記一対のアームを連結するように棒状に形成されていると共に、前記板状部における厚く形成された部位に当接すべく配置されていることを特徴としている。
【００１４】
請求項４に記載の考案は、請求項３に記載の考案において、前記支持部材は、前記支持軸の下側に、前記一対のアームを連結する棒材を有しており、前記肩紐の一端部は、前記板状部の一方の面に沿うように配置されると共に、前記棒材の下側に回り込むようにして折り返され、前記板状部の他方の面に沿うように配置された上で、少なくとも前記板状部における一方及び他方の面に沿う部分が当該板状部によって支持された状態で前記連結部材に連結されるようになっていることを特徴としている。
【考案の効果】
【００１５】
請求項１に記載の考案によれば、連結部材の前方への回動を停止させると共に、当該連結部材における板状部を同連結部材における回動軸部に対して上位となる方向に延在させるべく維持するストッパを有しているので、板状部によって支持された肩紐の一端部を所定の角度で上方に立ち上がった状態にすることができると共に、この状態から前方に回動するのを防止することができる。従って、ランドセルを後方に回動させるモーメントに十分抗することができるので、背当て部の上端部が背負う者の背中から離れる方向に移動し、ランドセルが重く感じられるようになったり、肩紐が背負う者の肩から外れやすくなるのを防止することができる。
【００１６】
また、肩紐の一端部は後方への回動制限を受けることがないので、各肩紐を後方に回動した際には、肩紐の一端部が背当て部から冠に沿うようになり、当該一端部が上方に突出した状態になるのを防止することができる。従って、肩紐をコンパクトな収納状態おくことができる。
【００１７】
しかも、ストッパは回動軸部から離れた部位に位置し、板状部に当接することによって連結部材の前方への回動を制限するようになっているので、ストッパ及びその受圧部としての板状部にかかる負荷を低減することができる。従って、ストッパ及びその受圧部からなる回動制限部の耐久性の向上を図ることができる。
【００１８】
請求項２に記載の考案によれば、支持部材は回動軸部を回動自在に支持する一対の支持軸を有し、回動軸部は各支持軸とそれぞれ嵌合する軸受孔を各端面から軸方向に延在するように有すると共に、一方の支持軸が一方の軸受孔に外周面側から挿入可能なスリットを有しているので、他方の支持軸と他方の軸受孔とを嵌合させた上で、スリットを一方の支持軸に合わせ、この一方の支持軸がスリットを介して一方の軸受孔内に入るように回動軸部を変位させることにより、各支持軸を各軸受孔に嵌合させることができる。従って、連結部材を支持部材に簡単に取り付けることができる。
【００１９】
しかも、スリットは、肩紐から板状部に作用する引張方向又は圧縮方向の荷重によって、支持軸が軸受孔から外周面側に抜け出すことのない位置に配置されていると共に、肩紐から板状部に作用する前方への荷重に伴ってストッパから板状部に作用する反力によって、支持軸が軸受孔から外周面側に抜け出すことのない位置に配置されているので、肩紐から板状部に作用する上記各荷重によって、連結部材が支持部材から外れるのを確実に防止することができる。
【００２０】
請求項３に記載の考案によれば、各支持軸が各アームにおける対向する各面から同軸状に突出するように形成され、ストッパが支持ピンの上側にあって、各アームを連結するように棒状に形成されているので、ストッパがアームの補強部材となると共に、両端が支持された棒状のストッパによって連結部材の回動を無理なく安定的に停止させることができる。しかも、連結部材の板状部は、回動軸部から離れるに従って漸次薄く形成されているので、その板状部の先端部において肩紐を柔軟に支持することができ、これにより当該肩紐の耐久性の向上を図ることができる。但し、板状部におけるストッパが当たる部分（即ち、受圧部）は厚く形成された部分となっているので、当該板状部の耐久性が損なわれることがない。従って、回動制限部のみならず支持部材、連結部材及び肩紐の一端部の全体の耐久性の向上を図ることができる。
【００２１】
請求項４に記載の考案によれば、支持軸の下側には一対のアームを連結する棒材を有しており、肩紐の一端部は板状部の一方の面に沿うように配置されると共に、棒材の下側に回り込むようにして折り返され、板状部の他方の面に沿うように配置された上で、少なくとも板状部に沿う部分が当該板状部によって支持された状態で連結部材に連結されるようになっているので、肩紐の一端部が連結部材にも支持部材にも同時に連結された状態になる。従って、例えば肩紐と連結部材との連結状態が万一断たれるようなことがあっても、当該肩紐は支持部材との連結状態をそのまま維持することができ、また肩紐と支持部材との連結状態が万一断たれるようなことがあっても、当該肩紐は連結部材との連結状態をそのまま維持することができるという顕著な効果を奏する。
【図面の簡単な説明】
【００２２】
【図１】本考案の一実施例として示したランドセルの斜視図である。
【図２】同ランドセルにおける背環の要部を破断して示す正面図である。
【図３】同ランドセルにおける背環における一方の支持部材、連結部材及び肩紐の一端部を示す図であり、（ａ）は正面図であり、（ｂ）は連結部材の板状部がストッパに当接した状態を示す（ａ）のＢ−Ｂ線に沿う断面図であり、（ｃ）は連結部材及び肩紐の一端部をほぼ鉛直方向の上方に延在するように回動した状態を示す（ａ）のＢ−Ｂ線に沿う断面図であり、（ｄ）は連結部材及び肩紐の一端部を冠に沿うように後方に回動した収納状態を示す（ａ）のＢ−Ｂ線に沿う断面図であり、（ｅ）は連結部材及び肩紐の一端部が更に後方に回動することが可能であることを示す（ａ）のＢ−Ｂ線に沿う断面図である。
【図４】同ランドセルにおける背環の一方の支持部材及び連結部材を示す図であって、（ａ）は正面図であり、（ｂ）は（ａ）のＢ矢視図であり、（ｃ）は（ａ）のＣ−Ｃ線に沿う断面図であり、（ｄ）は裏面図であり、（ｅ）は（ｄ）の要部拡大図であり、（ｆ）は（ｅ）のＦ−Ｆ線に沿う断面図である。
【図５】同ランドセルの作用効果を示す説明図である。
【図６】従来のランドセルの構成及び問題点を示す説明図である。
【考案を実施するための形態】
【００２３】
本考案を実施するための形態を一実施例に基づいて詳細に説明する。
【実施例】
【００２４】
この実施例で示すランドセルは、図１に示すように、ランドセル本体部１と、このランドセル本体部１における前方の一側面に設けられた背当て部２と、この背当て部２の上部における左右方向の中央部に設けられた背環３と、この背環３に一端部４１が連結された左右一対の肩紐４と、この肩紐４の他端部をランドセル本体部１の底部に固定するダルマかん５（図５参照）を備えている。
【００２５】
ランドセル本体部１は、図１に示すように、矩形状の箱状に形成された大マチ１１や、この大マチ１１の後方に配置された小マチ１２等を有し、これらの大マチ１１及び小マチ１２等の上方開口部１１ａ、１２ａ等が冠１３によって開閉可能になっている。
【００２６】
背当て部２は、ほぼ四角形の板状に形成されており、ランドセル本体部１における大マチ１１の前方部位にあって当該大マチ１１と一体的に結合されている。この背当て部２は、その前面に、所定の形状に隆起したクッション部２１を有しており、そのクッション部２１の表面が背負う者の背中に適度な弾力性をもって当接するようになっている。なお、上述した冠１３は、背当て部２の上端部２ａに連結されており、当該上端部２ａを支点にして屈曲することによって、大マチ１１や小マチ１２等の上方開口部１１ａ、１２ａ等を開閉するようになっている。
【００２７】
背環３は、図２に示すように、背当て部２に固定されるベース部材３１と、このベース部材３１に揺動自在に設けられた左右一対の支持部材３２と、これらの各支持部材３２と各肩紐４の一端部４１とを連結する連結部材３３を有している。
【００２８】
ベース部材３１は、左右対称の略平板状に形成されたものであり、その左右方向の中央部を背当て部２の左右方向の中央部に一致させた上で、カバー部材３７、化粧表皮材２２、保護部材３８等と共に、当該背当て部２に留め金３４で固定されるようになっている。
【００２９】
このベース部材３１は、凸状縁部３１ｂ、２つの揺動支持部３１ｃ（図２においては左側の揺動支持部３１ｃのみを示す）、２つのストッパ部３１ｄ、３つの連結孔３１ｅ（図２においては中央及び左側の連結孔３１ｅのみを示す）、２つの突起部３１ｆ（図２において左側の突起部３１ｆのみを示す）を有している。
【００３０】
凸状縁部３１ｂは、ベース部材３１の下縁及び側縁に沿う表面３１ａから所定の高さに形成されており、当該凸状縁部３１ｂ上に載置されるカバー部材３７を支持することによって、そのカバー部材３７と表面３１ａとの間に、支持部材３２の下側部分である後述する脚部３２ａ等を収容する空間を得るようになっていると共に、その上方に支持部材３２の上側部分である後述する支持部３２ｂを突出させるための開口部を得るようになっている。
【００３１】
揺動支持部３１ｃは、ベース部材３１の表面３１ａにおける左右対称位置にあって当該表面３１ａから円筒状に突出するように形成されており、その外周面で支持部材３２の後述する軸受孔３２ｃを回動自在に支持するようになっている。揺動支持部３１ｃの内周面はベース部材３１を貫通するように形成されている。
【００３２】
ストッパ部３１ｄは、ベース部材３１における表面３１ａの上部であって左右方向の中央部に、左右対称に形成されている。各ストッパ部３１ｄは、中央向って移動する一方及び他方の支持部材３２を所定の位置に停止させるようになっている。また、ストッパ部３１ｄは、凸状縁部３１ｂと共に、カバー部材３７を支持するようにもなっている。
【００３３】
連結孔３１ｅは、その一つが各ベース部材３１の上部における左右方向の中央部を貫通するように形成され、他の二つがベース部材３１の上部における左右の各端部を貫通するように形成されている。これら３つの各連結孔３１ｅには、上述した留め金３４が挿入されるようになっている。また、左右の各連結孔３１ｅは、ベース部材３１の表面３１ａから突出する円筒部によって囲まれており、その各円筒部は、各支持部材３２の左方向又は右方向への移動を制限するストッパとして機能するようにもなっている。
【００３４】
突起部３１ｆは、ベース部材３１の表面３１ａにおける左右対称位置に形成されており、各支持部材３２をそれぞれ中央方向に揺動させるための板バネ（弾性部材）３５を所定の位置に保持するようになっている。板バネ３５は、その長手方向の所定の位置で屈曲成形されたものであり、その一端部を凸状縁部３１ｂに当接させ、他端部を支持部材３２に当接させることにより、当該支持部材３２に中央方向に向かう方向の弾性力を付与するようになっている。
【００３５】
支持部材３２は、図４（ａ）に示すように、軸線Ｉに沿って延在する平板状の脚部３２ａと、この脚部３２ａの上側に当該脚部３２ａより幅広に形成された支持部３２ｂとによって一体的に形成されている。脚部３２ａは、その下端部にベース部材３１の揺動支持部３１ｃと回動自在に嵌合する軸受孔３２ｃを有し、その軸受孔３２ｃの上側に肉抜孔３２ｄを有している。また、脚部３２ａは、軸受孔３２ｃが揺動支持部３１ｃに嵌合した状態において、少なくとも支持部３２ｂがベース部材３１の上縁から上方に突出するように、その軸線Ｉ方向の長さが設定されている。
【００３６】
支持部３２ｂは、その正面視における軸線IIの方向が脚部３２ａの軸線Ｉに対して所定角度傾いた形状になっている。その場合、左側に位置する支持部材３２は、軸線IIが軸線Ｉに対して上方に向って左側に所定角度傾いた形状になっており、右側に位置する支持部材３２は、軸線IIが軸線Ｉに対して上方に向って右側に所定角度傾いた形状になっている。
【００３７】
また、支持部３２ｂは、図４（ｂ）の側面視（（ａ）のＢ矢視）で示すように、上方に向かって、背当て部２に対して前方（背当て部２から離れる方向）に傾斜している。即ち、支持部３２ｂは、側面視における軸線IIIの方向が脚部３２ａの軸線Ｉに対して、上方に向って前方に所定角度傾いた形状になっている。
【００３８】
このような外観を呈する支持部３２ｂは、図４（ａ）、（ｂ）に示すように、並列に延在する一対のアーム３２ｅを有するものとなっている。各アーム３２ｅは、正面視において軸線IIに平行に延在すべく形成されていると共に、側面視において軸線IIIに沿うように延在すべく形成されている。また、各アーム３２ｅの断面は四角形状に形成されている。
【００３９】
各アーム３２ｅの軸方向（上下方向）の中間部には、図４（ａ）に示すように、その対向する各面に、互いに同軸状となるように突出する片持ち状の支持軸３２ｆが形成されている。各支持軸３２ｆは、断面が円形状に形成されている。また、各アーム３２ｅは、支持軸３２ｆの上側の部分がストッパ３２ｇによって連結されていると共に、支持軸３２ｆの下側の部分が棒材３２ｈによって連結されている。
【００４０】
ストッパ３２ｇ及び棒材３２ｈは、断面が円形状に形成されていると共に、支持軸３２ｆに平行に延在すべく形成されている。
【００４１】
また、支持部材３２は、所定の材質のプラスチックによって一体に形成されている。
【００４２】
連結部材３３は、支持部材３２に対して回動自在となる回動軸部３３ａと、この回動軸部３３ａから板状に延在し肩紐４の一端部４１を支持する板状部３３ｂとからなり、所定の材質のプラスチックによって一体に形成されている。
【００４３】
回動軸部３３ａは、図４（ｆ）に示すように、断面が円に形成されており、また図４（ａ）、（ｄ）、（ｅ）に示すように、その軸方向の長さがアーム３２ｅ、３２ｅの対向する面間の長さよりわずかに短く形成されている。回動軸部３３ａの各端面には、支持軸３２ｆが回動自在に嵌合する所定の深さの軸受孔３３ｅが軸方向に延在するように形成されている。
【００４４】
また、回動軸部３３ａには、図４（ｄ）、（ｅ）、（ｆ）に示すように、一方の軸受孔３３ｅの軸方向に沿って延在し、かつ外周面から当該一方の軸受孔３３ｅに至るように切り込まれたスリット３３ｆが形成されている。このスリット３３ｆは、その長さが一方の軸受孔３３ｅとほぼ同一に形成されている。また、このスリット３３ｆは、その幅が軸受孔３３ｅの内周面から回動軸部３３ａの外周面に向けて漸次広がるように形成されており、支持軸３２ｆが外周面側から軸受孔３３ｅ内に入るのは容易であるが、当該支持軸３２ｆが軸受孔３３ｅから外周面側に出るのは困難な形状になっている。この場合、スリット３３ｆの幅は、軸受孔３３ｅの内周面において、支持軸３２ｆの直径より小さなものとなっている。
【００４５】
なお、回動軸部３３ａは、スリット３３ｆの無い他方の軸受孔３３ｅを他方の支持軸３２ｆに嵌合させた上で、一方の支持軸３２ｆの外周面にスリット３３ｆを押し付けることによって、そのスリット３３ｆの間を弾性的に開いて、その一方の支持軸３２ｆを一方の軸受孔３３ｅ内に挿入することが可能になっている。
【００４６】
板状部３３ｂは、図４（ａ）、（ｄ）に示すように、主板部３３ｃと、基板部３３ｄとによって一体に形成されている。主板部３３ｃは、一定の幅で所定の長さに形成されており、その中心線に沿って肩紐４の一端部４１との連結を図る長円形状の長孔３３ｇが形成されている。また、主板部３３ｃの先端部は、半円形状に丸められている。
【００４７】
基板部３３ｄは、その幅がほぼ回動軸部３３ａの軸方向長さから主板部３３ｃの幅まで漸次変化するように形成されている。
【００４８】
そして、板状部３３ｂは、その厚さが図４（ｃ）に示すように、基板部３３ｄから主板部３３ｃの先端に向けて漸次滑らかに減少して薄くなるように形成されている。即ち、板状部３３ｂは、回動軸部３３ａに近いほど厚く曲げ剛性が大きく、先端に向うにほど薄く曲げ剛性が小さくなっている。特に基板部３３ｄは、幅広であることからも、曲げ剛性の大きなものとなっている。
【００４９】
また、連結部材３３は、図４（ａ）に示すように、回動軸部３３ａの各軸受孔３３ｅが支持部材３２の各支持軸３２ｆに嵌合した状態において、主板部３３ｃの幅方向の中心が軸線IIにほぼ一致するように形成されている。
【００５０】
一方、ストッパ３２ｇは、連結部材３３が支持部材３２に回転自在に取り付けられた状態において、回動軸部３３ａから十分離れた位置における板状部３３ｂに当接することによって、連結部材３３の前方への回動を制限すると共に、板状部３３ｂを回動軸部３３ａに対して上位となる方向に延在すべく維持するようになっている。この場合、ストッパ３２ｇは、図３（ｂ）に示すように、背当て部２が延在する上下方向（軸線Ｉとほぼ同一の方向）に対して、上方に向って前方に傾く角度θ１がほぼ２０度となるように、板状部３３ｂの傾斜角度及びこの板状部３３ｂによって支持された肩紐４の一端部４１の傾斜角度を規制している。
【００５１】
また、上記スリット３３ｆは、図４（ｄ）に示すように、連結部材３３が支持部材３２に回転自在に取り付けられた状態において、肩紐４から板状部３３ｂに作用する引張方向の荷重Ｐ１又は圧縮方向の荷重Ｐ２に対して、支持軸３２ｆが軸受孔３３ｅから外周面側に抜け出すことのない位置に配置されていると共に、図４（ｃ）に示すように、肩紐４から板状部３３ｂに作用する前方への荷重Ｐ３に伴ってストッパ３２ｇから板状部３３ｂに作用する反力Ｐ４に対して、支持軸３２ｆが軸受孔３３ｅから外周面側に抜け出すことのない位置に配置されている。
【００５２】
肩紐４の一端部４１は、図３（ａ）〜（ｃ）に示すように、板状部３３ｂの一方の面に沿うように配置されると共に、棒材３２ｈの下側に回り込むようにして折り返され、更に板状部３３ｂの他方の面に沿うように配置された上で、板状部３３ｂの一方及び他方の各面に重ねられた部分が当該部分及び長孔３３ｇを貫通する留め金３６によって、板状部３３ｂに確実に支持固定された状態となり、これにより連結部材３３に確実に連結されるようになっている。
【００５３】
上記のように構成されたランドセルにおいては、他方の軸受孔３３ｅとこれに対応する他方の支持軸３２ｆとを嵌合させた上で、スリット３３ｆを一方の支持軸３２ｆに合わせ、この一方の支持軸３２ｆをスリット３３ｆを介して一方の軸受孔３３ｅ内に押し込むように回動軸部３３ａを変位させることにより、各支持軸３２ｆを各軸受孔３３ｅに嵌合させることができる。従って、連結部材３３を支持部材３２に簡単に取り付けることができる。
【００５４】
そして、板状部３３ｂを回動軸部３３ａに対して上位となる方向に延在させるべく維持するストッパ３２ｇを有しているので、板状部３３ｂによって支持された肩紐４の一端部４１が所定の角度以上前方に回動するのを防止することができ、これにより、図５に示すように、ランドセルを後方に回動させるべく作用するモーメントＭに十分抗することができる。従って、背当て部２の上端部２ａが背負う者の背中から離れる方向に移動し、ランドセルが重く感じるようになったり、肩紐４が背負う者の肩から外れやすくなるのを防止することができる。
【００５５】
また、肩紐４の一端部４１はストッパ３２ｇによって後方への回動制限を受けることにはならないので、各肩紐４を図３（ｄ）に示すように、冠１３に沿うように後方に回動することができ、当該肩紐４の一端部４１が上方に突出した状態になるのを防止することができる。従って、肩紐４をコンパクトな収納状態におくことができる。
【００５６】
しかも、ストッパ３２ｇは回動軸部３３ａから離れた部位で板状部３３ｂに当接することによって当該板状部３３ｂの前方への回動を制限するようになっているので、ストッパ３２ｇ及びこのストッパ３２ｇが当たる板状部３３ｂの受圧部の負荷を低減することができる。従って、ストッパ３２ｇ及びその受圧部からなる回動制限部の耐久性の向上を図ることができる。
【００５７】
更に、スリット３３ｆは、肩紐４から板状部３３ｂに作用する引張方向又は圧縮方向の荷重Ｐ１、Ｐ２に対して、支持軸３２ｆが軸受孔３３ｅから外周面側に抜け出すことのない位置に配置されていると共に、肩紐４から板状部３３ｂに作用する前方への荷重Ｐ３に伴ってストッパ３２ｇから板状部３３ｂに作用する反力Ｐ４に対して、支持軸３２ｆが軸受孔３３ｅから外周面側に抜け出すことのない位置に配置されているので、肩紐４に作用する各種方向の荷重によって、連結部材３３が支持部材３２から外れるのを確実に防止することができる。
【００５８】
また、各支持軸３２ｆが各アーム３２ｅにおける対向する各面から同軸状に突出するように形成され、各ストッパ３２ｇが支持軸３２ｆの上側にあって、各アーム３２ｅを連結するように棒状に形成されているので、その両端を支持された棒状のストッパ３２ｇによって連結部材３３の回動を無理なく安定的に停止させることができる。また、ストッパ３２ｇがアーム３２ｅの補強部材となるという利点もある。しかも、板状部３３ｂは、回動軸部３３ａから離れるに従って漸次薄く形成されているので、その板状部３３ｂの先端部において肩紐４を柔軟に支持することができ、これにより当該肩紐４の耐久性の向上を図ることができる。また、板状部３３ｂにおけるストッパ３２ｇが当たる受圧部は、幅が広くかつ厚く形成された基板部３３ｄとなっているので、当該板状部３３ｂの耐久性が損なわれることがない。従って、回動制限部のみならず支持部材３２、連結部材３３及び肩紐４の一端部４１の全体の耐久性の向上を図ることができる。
【００５９】
一方、肩紐４の一端部４１は板状部３３ｂの一方の面に沿うと共に、棒材３２ｈの下側を沿うように回り込むことによって折り返され、板状部３３ｂの他方の面に沿うように重ねられた上で、留め金３６を用いて、当該板状部３３ｂによって確実に支持固定された状態で連結部材３３に連結されるようになっているので、肩紐４の一端部４１が連結部材３３にも支持部材３２にも連結された状態になる。従って、例えば肩紐４と連結部材３３との連結が万一断たれるようなことがあっても、当該肩紐４は支持部材３２との連結状態を維持することができ、また肩紐４と支持部材３２との連結が万一断たれることがあっても、当該肩紐４は連結部材３３との連結状態を維持することができる。
【００６０】
また、板状部３３ｂは、図３（ｅ）に示すように、棒材３２ｈに当接するまでは後方に回動することができる。即ち、板状部３３ｂの後方への回動角度については、十分に確保することができる。なお、図４（ｃ）に示すように、連結部材３３の回動がストッパ３２ｇと棒材３２ｈによって制限を受ける角度θ２は、この例では約１４０度となっている。
【符号の説明】
【００６１】
１  ランドセル本体部
２  背当て部
３  背環
４  肩紐
３２  支持部材
３２ｇ  ストッパ
３２ｅ  アーム
３２ｆ  支持軸
３２ｈ  棒材
３３  連結部材
３３ａ  回動軸部
３３ｂ  板状部
３３ｅ  軸受孔
３３ｆ  スリット
４１  一端部
Ｐ１  引張方向の荷重
Ｐ２  圧縮方向の荷重
Ｐ３  前方への荷重
Ｐ４  反力
【図１】
0003165209.tif 000003
【図２】
0003165209.tif 000004
【図３】
0003165209.tif 000005
【図４】
0003165209.tif 000006
【図５】
0003165209.tif 000007
【図６】
0003165209.tif 000008